【手続補正書】
【提出日】平成28年1月5日(2016.1.5)
【手続補正１】
【補正対象書類名】特許請求の範囲
【補正対象項目名】全文
【補正方法】変更
【補正の内容】
【特許請求の範囲】
【請求項１】
無線アクセスポイントと通信するためのクライアントデバイスであって、フレーム内の中間場所に前記アクセスポイントによって送信された前記フレームの少なくとも一部分を受信するように構成されたデータ処理モジュールと、前記中間場所に関する妥当性ウィンドウを決定するように構成されたチャネル評価モジュールと、を備え、前記妥当性ウィンドウは、前記フレームのプリアンブルと前記中間場所との間の期間に対応する第１の継続時間メトリックを、前記フレームを送信するために使用されるチャネルのコヒーレンス時間と比較することによって決定され、前記チャネル評価モジュールは、前記プリアンブルから決定された第１のチャネル品質メトリックが所定のスレショルド以上かどうかを決定するようにさらに構成され、前記データ処理モジュールは、前記第１のチャネル品質メトリックが前記所定のスレショルド以上であると決定された場合に、前記妥当性ウィンドウ内で受信された情報の妥当性を検査するように構成される、クライアントデバイス。
【請求項２】
前記チャネル品質メトリックは、Ｖｉｔｅｒｂｉ復号器の出力部からの信頼度メトリックを備える請求項１に記載のクライアントデバイス。
【請求項３】
前記チャネル品質メトリックは、受信機誤りベクトル大きさを備える請求項１に記載のクライアントデバイス。
【請求項４】
前記チャネル品質メトリックは、前記フレームの信号強度に基づく請求項１に記載のクライアントデバイス。
【請求項５】
前記所定のスレショルドは、前記送信されたフレームに関して使用される変調コーディングセットに基づく請求項１に記載のクライアントデバイス。
【請求項６】
前記クライアントデバイスは、前記妥当性ウィンドウ内で受信された前記情報に基づいてシステムパラメータを更新するように構成される請求項１に記載のクライアントデバイス。
【請求項７】
前記クライアントデバイスは、前記チャネル品質メトリックが前記所定のスレショルドを超えないときに前記フレームの受信を終了させるように構成される請求項１に記載のクライアントデバイス。
【請求項８】
前記チャネル評価モジュールは、複数の妥当性ウィンドウを決定するようにさらに構成され、これによって各妥当性ウィンドウは、前記フレーム中の異なる時間に決定されたチャネル品質メトリックを参照して決定される請求項１に記載のクライアントデバイス。
【請求項９】
前記妥当性ウィンドウ内で受信された前記情報は、ＤＴＩＭ情報要素を備え、前記クライアントデバイスは、前記クライアントデバイスのための待機中のデータが前記アクセスポイントに存在していないことを前記ＤＴＩＭ情報要素が示す場合に前記フレームの受信を終了させて低電力モードに入るように構成される請求項１に記載のクライアントデバイス。
【請求項１０】
前記チャネル評価モジュールは、前記チャネル品質メトリック及び前記所定のスレショルドに基づいて前記妥当性ウィンドウに信頼度レベルを割り当てるようにさらに構成される請求項１に記載のクライアントデバイス。
【請求項１１】
前記チャネル評価モジュールは、前記中間場所と検証フィールドとの間の期間に対応する第２の継続時間メトリックとコヒーレンス時間を比較し及び前記第１のチャネル品質メトリックと第２のチャネル品質メトリックとの間の差分をチャネル品質差分スレショルドと比較することによって前記妥当性ウィンドウを決定するようにさらに構成される請求項１に記載のクライアントデバイス。
【請求項１２】
アクセスポイントとの無線通信のための方法であって、
ａ）クライアントデバイスを用いてフレーム内の中間場所に前記アクセスポイントによって送信された前記フレームの少なくとも一部分を受信することと、
ｂ）第１のチャネル品質メトリックを決定することと、
ｃ）前記フレームのプリアンブルと前記中間場所との間の期間に対応する第１の継続時間メトリックを、前記フレームを送信するために使用されるチャネルのコヒーレンス時間と比較することと、前記プリアンブルから決定された前記第１のチャネル品質メトリックが所定のスレショルド以上かどうかを決定することとを備える妥当性ウィンドウを構築することと、
ｄ）前記第１のチャネル品質メトリックが前記所定のスレショルド以上であると決定された場合に前記妥当性ウィンドウ内で受信された前記フレームからの情報の妥当性を検査することと、
を備える方法。
【請求項１３】
前記チャネル品質メトリックを決定することは、Ｖｉｔｅｒｂｉ復号器の出力部から信頼度メトリックを入手することを備える請求項１２に記載の方法。
【請求項１４】
前記チャネル品質メトリックを決定することは、受信機誤りベクトル大きさを測定することを備える請求項１２に記載の方法。
【請求項１５】
前記妥当性ウィンドウを構築することは、前記中間場所と検証フィールドとの間の期間に対応する第２の継続時間メトリックをコヒーレンス時間と比較することと、前記第１のチャネル品質メトリックと第２のチャネル品質メトリックとの間の差分をチャネル品質差分スレショルドと比較することと、をさらに備える請求項１２に記載の方法。
【手続補正２】
【補正対象書類名】明細書
【補正対象項目名】０１２１
【補正方法】変更
【補正の内容】
【０１２１】
ここにおいて説明されるのは現在好ましい実施形態である。しかしながら、本発明に関係する当業者は、本開示の原理は、該当する変更を行うことによってその他の用途に簡単に拡張可能であることを理解するであろう。
以下に本願発明の当初の特許請求の範囲に記載された発明を付記する。
［Ｃ１］
無線アクセスポイントと通信するためのクライアントデバイスであって、フレーム内の中間場所に前記アクセスポイントによって送信された前記フレームの少なくとも一部分を受信するように構成されたデータ処理モジュールと、少なくとも１つのチャネル品質メトリックが所定のスレショルド以上であるときに前記中間場所に関する妥当性ウィンドウを決定するように構成されたチャネル評価モジュールと、を備え、データ処理モジュールは、前記妥当性ウィンドウ内で受信された情報の妥当性を検査するように構成される、無線アクセスポイントと通信するためのクライアントデバイス。
［Ｃ２］
前記チャネル評価モジュールは、前記チャネル品質メトリックが決定される期間の上流及び下流においてある範囲のシンボルを設定することによって前記妥当性ウィンドウを決定するように構成されるＣ１に記載のクライアントデバイス。
［Ｃ３］
前記チャネル品質メトリックは、Ｖｉｔｅｒｂｉ復号器の出力部からの信頼度メトリックを備えるＣ２に記載のクライアントデバイス。
［Ｃ４］
前記チャネル評価モジュールは、前記フレームを送信するために使用されるチャネルに関するコヒーレンス時間に基づいて前記妥当性ウィンドウを決定するように構成されるＣ１に記載のクライアントデバイス。
［Ｃ５］
前記チャネル品質メトリックは、受信機誤りベクトル大きさを備えるＣ１に記載のクライアントデバイス。
［Ｃ６］
前記チャネル品質メトリックは、前記フレームの信号強度に基づくＣ１に記載のクライアントデバイス。
［Ｃ７］
前記所定のスレショルドは、前記送信されたフレームに関して使用される変調コーディングセットに基づくＣ１に記載のクライアントデバイス。
［Ｃ８］
前記クライアントデバイスは、前記妥当性ウィンドウ内で受信された前記情報に基づいてシステムパラメータを更新するように構成されるＣ１に記載のクライアントデバイス。
［Ｃ９］
前記クライアントデバイスは、前記チャネル品質メトリックが前記所定のスレショルドを超えないときに前記フレームの受信を終了させるように構成されるＣ１に記載のクライアントデバイス。
［Ｃ１０］
前記チャネル評価モジュールは、複数の妥当性ウィンドウを決定するようにさらに構成され、各妥当性ウィンドウは、前記フレーム中の異なる時間に決定されたチャネル品質メトリックを参照して決定されるＣ１に記載のクライアントデバイス。
［Ｃ１１］
前記フレームは、検証フィールドを通じて受信され、前記チャネル評価モジュールは、継続時間メトリック及び前記フレームのプリアンブル中に測定された第１のチャネル品質メトリックと前記中間場所に対応する時間中に測定された第２のチャネル品質メトリックとの間の差分に基づいて前記検証フィールドの不具合を診断するようにさらに構成され、前記妥当性ウィンドウ内の前記情報は、前記不具合診断が劣化中のチャネル状態に起因するときに妥当性が検査されるＣ１に記載のクライアントデバイス。
［Ｃ１２］
前記妥当性ウィンドウ内で受信された前記情報は、ＤＴＩＭ情報要素を備え、前記クライアントデバイスは、前記クライアントデバイスのための待機中のデータが前記アクセスポイントに存在していないことを前記ＤＴＩＭ情報要素が示す場合に前記フレームの受信を終了させて低電力モードに入るように構成されるＣ１に記載のクライアントデバイス。
［Ｃ１３］
前記チャネル評価モジュールは、前記チャネル品質メトリック及び前記所定のスレショルドに基づいて前記妥当性ウィンドウに信頼度レベルを割り当てるようにさらに構成されるＣ１に記載のクライアントデバイス。
［Ｃ１４］
前記チャネル評価モジュールは、前記フレームのプリアンブルと前記中間場所との間の期間に対応する第１の継続時間メトリックをコヒーレンス時間と比較し及び前記プリアンブルから決定された第１のチャネル品質メトリックが所定のスレショルドを超えるかどうかを決定することによって前記妥当性ウィンドウを決定するようにさらに構成されるＣ１に記載のクライアントデバイス。
［Ｃ１５］
前記チャネル評価モジュールは、前記中間場所と検証フィールドとの間の期間に対応する第２の継続時間メトリックとコヒーレンス時間を比較し及び前記第１のチャネル品質メトリックと第２のチャネル品質メトリックとの間の前記差分をチャネル品質サブスレショルドと比較することによって前記妥当性ウィンドウを決定するようにさらに構成されるＣ１４に記載のクライアントデバイス。
［Ｃ１６］
アクセスポイントとの無線通信のための方法であって、ａ）クライアントデバイスを用いてフレーム内の中間場所に前記アクセスポイントによって送信された前記フレームの少なくとも一部分を受信することと、ｂ）チャネル品質メトリックを決定することと、Ｃ）前記チャネル品質メトリックが所定のスレショルド以上であるときに妥当性ウィンドウを構築することと、ｄ）前記妥当性ウィンドウ内で受信された前記フレームからの情報の妥当性を検査することと、を備える、アクセスポイントとの無線通信の方法。
［Ｃ１７］
前記妥当性ウィンドウを構築することは、前記チャネル品質メトリックが決定される期間の上流及び下流である範囲のシンボルを設定することを備えるＣ１６に記載の方法。
［Ｃ１８］
前記チャネル品質メトリックを決定することは、Ｖｉｔｅｒｂｉ復号器の前記出力部から信頼度メトリックを入手することを備えるＣ１７に記載の方法。
［Ｃ１９］
前記妥当性ウィンドウを構築することは、前記フレームを送信するために使用されるチャネルに関してコヒーレンス時間に基づいて範囲を使用することを備えるＣ１６に記載の方法。
［Ｃ２０］
前記チャネル品質メトリックを決定することは、受信機誤りベクトル大きさを測定することを備えるＣ１６に記載の方法。
［Ｃ２１］
前記チャネル品質メトリックを決定することは、前記フレームの信号強度を測定することを備えるＣ１６に記載の方法。
［Ｃ２２］
前記所定のスレショルドは、前記送信されたフレームに関して使用される変調コーディングセットに基づくＣ１６に記載の方法。
［Ｃ２３］
前記妥当性ウィンドウ内で受信された前記情報に基づいて前記クライアントデバイスのシステムパラメータを更新することをさらに備えるＣ１６に記載の方法。
［Ｃ２４］
前記チャネル品質メトリックが前記所定のスレショルドを超えないときに前記フレームの受信を終了させることをさらに備えるＣ１６に記載の方法。
［Ｃ２５］
前記フレーム中の異なる時間に複数のチャネル品質メトリックを決定することと、複数の妥当性ウィンドウを構築することとをさらに備え、各妥当性ウィンドウは、前記複数のチャネル品質メトリックに対応するＣ１６に記載の方法。
［Ｃ２６］
前記フレームは、検証フィールドを通じて受信され、継続時間メトリック及び前記フレームのプリアンブル中に測定された第１のチャネル品質メトリックと前記中間場所に対応する時間中に測定された第２のチャネル品質メトリックとの間の差分に基づいて前記検証フィールドの不具合を診断するようにさらに構成され、前記妥当性ウィンドウ内の前記情報は、前記不具合診断が劣化中のチャネル状態に起因するときに妥当性が検査されるＣ１６に記載の方法。
［Ｃ２７］
前記妥当性が検査された情報は、ＤＴＩＭ情報要素を含み、前記クライアントデバイスのための待機中のデータが前記アクセスポイントに存在していないことを前記ＤＴＩＭ情報要素が示す場合に前記フレームの受信を終了させて前記クライアントデバイスを低電力モードにすることをさらに備えるＣ１６に記載の方法。
［Ｃ２８］
前記チャネル品質メトリック及び前記所定のスレショルドに基づいて前記妥当性ウィンドウに信頼度レベルを割り当てることをさらに備えるＣ１６に記載の方法。
［Ｃ２９］
前記妥当性ウィンドウを構築することは、前記フレームのプリアンブルと前記中間場所との間の期間に対応する第１の継続時間メトリックをコヒーレンス時間と比較することと、前記プリアンブルから決定されたチャネル品質メトリックが所定のスレショルドを超えるかどうかを決定することと、を備えるＣ１６に記載の方法。
［Ｃ３０］
前記妥当性ウィンドウを構築することは、前記中間場所と検証フィールドとの間の期間に対応する第２の継続時間メトリックをコヒーレンス時間と比較することと、前記第１のチャネル品質メトリックと第２のチャネル品質メトリックとの間の前記差分をチャネル品質差分スレショルドと比較することと、をさらに備えるＣ２９に記載の方法。